(57)【要約】【課題】充電経路の耐電流及び耐電圧の範囲内で蓄電装置に含まれる複数の二次電池を可及的に短時間で充電する。【解決手段】電池モジュール２１と、第１の電力線コネクタ２２と、任意の数の電池モジュール２１を直列に、並列に、若しくは直列と並列との組合せで接続し、又は切断するスイッチ２３と、１つ以上の電池モジュールグループ夫々を互い異なる任意の第１の電力線コネクタ２２に夫々接続する接続切替回路２４と、電池モジュール２１と第１の電力線コネクタ２２との間の電流経路の耐電圧と、第２の電力線コネクタ３２からの出力可能電圧とから、電池モジュール２１の直列数を計算する計算部２５２と、該直列数以下で直列接続された電池モジュール２１から構成される１つ以上の電池モジュールグループ夫々の充電経路が形成されるように、スイッチ２３及び接続切替回路２４を動作させる経路切替部２５３とを備えて蓄電装置２を構成する。【選択図】図１
2018033284.tif 000002
【特許請求の範囲】
【請求項１】
複数の電池モジュールと、
複数の第１の電力線コネクタと、
前記複数の電池モジュールの内の任意の数の電池モジュールを直列に、並列に、若しくは直列と並列との組合せで接続し、又は切断するように構成されたスイッチと、
前記スイッチにより相互に接続された電池モジュールから構成される１つ以上の電池モジュールグループ夫々を、前記複数の第１の電力線コネクタの内の互い異なる任意の第１の電力線コネクタに夫々接続するように構成された接続切替回路と、
前記複数の電池モジュールと前記複数の第１の電力線コネクタとの間の電流経路の耐電圧と、充電装置側の第２の電力線コネクタからの出力可能電圧とから、電池モジュールの直列数を計算する計算部と、
前記直列数以下で直列接続された電池モジュールから構成される前記１つ以上の電池モジュールグループ夫々の充電経路が形成されるように、前記スイッチ及び前記接続切替回路を動作させる経路切替部と
を含む、蓄電装置。
【請求項２】
請求項１に記載の蓄電装置であって、
前記計算部は、前記第１の電力線コネクタの数と前記第２の電力線コネクタの数とから、電池モジュールの並列数を計算し、
前記経路切替部は、前記直列数以下で直列接続された後前記並列数以下で並列接続された電池モジュールから構成される前記１つ以上の電池モジュールグループ夫々の前記充電経路が形成されるように、前記複数のスイッチ及び前記接続切替回路を動作させる
蓄電装置。
【請求項３】
蓄電装置が備える、複数の電池モジュールと複数の第１の電力線コネクタとの間の電流経路の耐電圧と、充電装置側の第２の電力線コネクタの出力可能電圧とから、電池モジュールの直列数を計算する計算部と、
前記直列数以下で直列接続された電池モジュールから構成される電池モジュールグループの数と、各電池モジュールグループ内の電池モジュールの直並列数とを前記蓄電装置に通知する通知部と
を含む充電装置。
【請求項４】
請求項３に記載の充電装置であって、
前記計算部は、前記第１の電力線コネクタの数と前記第２の電力線コネクタの数とから、電池モジュールの並列数を計算し、
前記通知部は、前記直列数以下で直列接続された後前記並列数以下で並列接続された電池モジュールから構成される電池モジュールグループの数と、各電池モジュールグループ内の電池モジュールの直並列数とを前記蓄電装置に通知する
充電装置。
【発明の詳細な説明】
【技術分野】
【０００１】
本発明は、蓄電装置及び充電装置に関する。
【背景技術】
【０００２】
蓄電装置に含まれる二次電池を充電装置により急速充電するためには、充電装置から二次電池に可及的に大電流が供給されることが望ましい。こうした要望は、複数の二次電池が蓄電装置に含まれる場合においても同様に存在する。
【０００３】
なお、関連する技術として特許文献１及び２に記載の技術が知られている。
【先行技術文献】
【特許文献】
【０００４】
【特許文献１】特開２０１１−７２０８４号公報
【特許文献２】特開平５−３３５０３５号公報
【発明の概要】
【発明が解決しようとする課題】
【０００５】
しかしながら、複数の二次電池が並列接続されている場合に、急速充電のために個々の二次電池に大電流を供給しようとすると、個々の二次電池に供給される大電流が合流する充電経路には、耐電流を超える電流が流れる虞がある。
【０００６】
また、複数の二次電池が直列接続されている場合に、急速充電のために個々の二次電池に大電流を供給しようとすると、個々の二次電池に印加される電圧が合算される充電経路には、耐電圧を超える電圧が印加される虞がある。
【０００７】
本発明の一側面に係る目的は、充電経路の耐電流及び耐電圧の範囲内で蓄電装置に含まれる複数の二次電池を可及的に短時間で充電することである。
【課題を解決するための手段】
【０００８】
本発明に係る一つの形態である蓄電装置は、複数の電池モジュールと、複数の第１の電力線コネクタと、スイッチと、接続切替回路と、計算部と、経路切替部とを含む。スイッチは、複数の電池モジュールの内の任意の数の電池モジュールを直列に、並列に、若しくは直列と並列との組合せで接続し、又は切断するように構成される。接続切替回路は、スイッチにより相互に接続された電池モジュールから構成される１つ以上の電池モジュールグループ夫々を、複数の第１の電力線コネクタの内の互い異なる任意の第１の電力線コネクタに夫々接続するように構成される。計算部は、複数の電池モジュールと複数の第１の電力線コネクタとの間の電流経路の耐電圧と、充電装置側の第２の電力線コネクタからの出力可能電圧とから、電池モジュールの直列数を計算する。経路切替部は、計算された直列数以下で直列接続された電池モジュールから構成される１つ以上の電池モジュールグループ夫々の充電経路が形成されるように、スイッチ及び接続切替回路を動作させる。
【発明の効果】
【０００９】
一実施形態に従った蓄電装置によれば、充電経路の耐電流及び耐電圧の範囲内で蓄電装置に含まれる複数の二次電池を可及的に短時間で充電することができる。
【図面の簡単な説明】
【００１０】
【図１】第１の実施形態に従った充電システムの構成例を示す図である。
【図２】第１の実施形態に従った充電システムが実行する充電経路の形成方法の一例を示す図である。
【図３】第２の実施形態に従った充電システムの構成例を示す図である。
【図４】第２の実施形態に従った充電システムが実行する充電経路の形成方法の一例を示す図である。
【発明を実施するための形態】
【００１１】
以下図面に基づいて実施形態について詳細を説明する。
＜第１の実施形態＞
図１は、第１の実施形態に従った充電システムの構成例を示す図である。図１に示す構成例では、充電システム１は、蓄電装置２及び充電装置３を含む。
【００１２】
蓄電装置２は、複数の電池モジュール２１、複数の電力線コネクタ２２（第１の電力線コネクタ）、スイッチ２３、接続切替回路２４、制御部２５、及び通信線コネクタ２６を含む。また、充電装置３は、複数の電力変換回路３１、複数の電力線コネクタ３２（第２の電力線コネクタ）、及び制御部３３を含む。なお、図１には、４つの電池モジュール２１及び４つの電力線コネクタ２２が示されているが、蓄電装置２に含まれる電池モジュール２１及び電力線コネクタ２２の夫々の数は２以上の任意の数であってよい。また、図１には、２つの電力変換回路３１及び２つの電力線コネクタ３２が示されているが、充電装置３に含まれる電力変換回路３１及び電力線コネクタ３２の夫々の数は２以上の任意の数であってよい。
【００１３】
電池モジュール２１は、１つ以上の二次電池を含む。電池モジュール２１に含まれる二次電池は、例えば、リチウムイオン電池やリチウムイオンキャパシタやニッケル水素電池である。
【００１４】
電力線コネクタ２２は、スイッチ２３及び接続切替回路２４を介して電池モジュール２１に接続され得る。また、電力線コネクタ２２は、充電装置３側の電力線コネクタ３２に接続され得る。電力線コネクタ２２が電力線コネクタ３２に接続されると、充電装置３側の電力変換回路３１が生成及び出力した電力は、電力線コネクタ２２に接続された電池モジュール２１に供給され得る。
【００１５】
蓄電装置２には、電池モジュール２１と同数以下の電力線コネクタ２２が含まれ得る。また、蓄電装置２に含まれる電力線コネクタ２２の数は、充電装置３に含まれる電力線コネクタの数と同じであってもよいし、異なってもよい。
【００１６】
スイッチ２３は、複数の電池モジュール２１間の接続関係を変更するように構成される。具体的には、スイッチ２３は、制御部２５の指示に従って、複数の電池モジュール２１の内の任意の数の電池モジュール２１を直列に、並列に、若しくは直列と並列との組合せで接続し、又は切断するように構成される。
【００１７】
図１に示した構成例では、スイッチ２３は、第１のスイッチ２３１、第２のスイッチ２３２、及び第３のスイッチ２３３を組とする複数のスイッチ群から構成される。隣接する任意の２つの電池モジュール２１を第１の電池モジュール２１及び第２の電池モジュール２１と称すると、第１のスイッチ２３１、第２のスイッチ２３２、及び第３のスイッチ２３３は、次のように説明される。すなわち、第１のスイッチ２３１は、第１の電池モジュール２１の一方の極と、第２の電池モジュール２１の一方の極との間の電流経路に設けられ、該電流経路を接続又は切断するように構成される。第２のスイッチ２３２は、第１の電池モジュール２１の他方の極と第２の電池モジュール２１の一方の極との間の電流経路に設けられ、該電流経路を接続又は切断するように構成される。第３のスイッチ２３３は、第１の電池モジュール２１の他方の極と第２の電池モジュール２１の他方の極との間の電流経路に設けられ、該電流経路を接続又は切断するように構成される。
【００１８】
例えば、第１のスイッチ２３１及び第３のスイッチ２３３が夫々オフにされ、第２のスイッチ２３２がオンにされると、第１の電池モジュール２１と第２の電池モジュール２１とは直列に接続される。また、第１のスイッチ２３１及び第３のスイッチ２３３が夫々オンにされ、第２のスイッチ２３２がオフにされると、第１の電池モジュール２１と第２の電池モジュール２１とは並列に接続される。そして、第１のスイッチ２３１、第２のスイッチ２３２、及び、第３のスイッチ２３３が夫々オフにされると、第１の電池モジュール２１と第２の電池モジュール２１とは切断される。
【００１９】
制御部２５の指示に従ってスイッチ２３が動作することによって、直列に、並列に、若しくは直列と並列との組合せで相互に接続された電池モジュール２１から構成される１つ以上の電池モジュールグループが形成される。形成された各電池モジュールグループ内には、当該電池モジュールグループを構成する各電池モジュール２１を繋ぐ電流経路、すなわち、充電経路が形成される。複数の電池モジュールグループの夫々の充電経路は、スイッチ２３の動作によって相互に切り離される。
【００２０】
接続切替回路２４は、複数の電池モジュール２１と複数の電力線コネクタ２２と間の接続関係を切替えるように構成される。具体的には、接続切替回路２４は、制御部２５の指示に従って、形成された１つ以上の電池モジュールグループ夫々を、複数の第１の電力線コネクタ２２の内の互い異なる任意の第１の電力線コネクタ２２に夫々接続するように構成される。接続切替回路２４は、例えば、マトリクススイッチやルーティングスイッチであってもよい。
【００２１】
制御部２５の指示に従い接続切替回路２４が動作することで、任意の電池モジュールグループと任意の第１の電力線コネクタ２２とが接続され、該電池モジュールグループと該第１の電力線コネクタ２２とを繋ぐ電流経路、すなわち充電経路が形成される。充電装置３側の第２の電力線コネクタ３２からの出力電力は、該第２の電力線コネクタ３２に接続された第１の電力線コネクタ２２を介して、該第１の電力線コネクタ２２に接続された電池モジュールグループに属する各電池モジュール２１に供給される。
【００２２】
制御部２５は、例えば、ＣＰＵ（Central Processing Unit）、マルチコアＣＰＵ、又はプログラマブルなディバイス（ＦＰＧＡ（Field Programmable Gate Array）やＰＬＤ（Programmable Logic Device）等）である。制御部２５は、蓄電装置２全体の動作を制御する。また、通信線コネクタ２６が充電装置３側の通信線コネクタ３４に接続されると、制御部２５は、電池モジュール２１の充電に用いられる情報を充電装置３側の制御部３３と通信する。制御部３３は、例えば、ＣＰＵ、マルチコアＣＰＵ、又はプログラマブルなディバイス（ＦＰＧＡやＰＬＤ等）である。制御部２５は、取得部２５１、計算部２５２、及び経路切替部２５３を含む。
【００２３】
取得部２５１は、個々の電力線コネクタ３２からの出力可能電圧を制御部３３から取得する。また、取得部２５１は、充電装置３が備える電力線コネクタ３２の数を制御部３３から取得する。
【００２４】
計算部２５２は、複数の電池モジュール２１と複数の電力線コネクタ２２との間の電流経路の耐電圧と、電力線コネクタ３２の出力可能電圧とから、直列接続が可能な電池モジュール２１の数、すなわち、電池モジュール２１の直列数を最初に計算する。なお、計算される電池モジュール２１の直列数は１以上の整数である。また、計算部２５２は、蓄電装置２が備える電力線コネクタ２２の数と、充電装置３が備える電力線コネクタ３２の数とから、電池モジュール２１の並列数を続いて計算する。なお、電池モジュール２１の並列数とは、最初に計算された直列数以下で直列接続された電池モジュール２１の１つ以上の組が並列接続される数を指す。また、計算される電池モジュール２１の並列数は１以上の整数である。例えば、電池モジュール２１の並列数が３である状態とは、計算された直列数以下で直列接続された電池モジュール２１の３つの組が並列接続される状態を指す。例えば、電池モジュール２１の並列数が１である状態とは、計算された直列数以下で全ての電池モジュール２１が直列接続される状態を指す。
【００２５】
蓄電装置２に含まれる複数の電池モジュール２１は、計算部２５２により計算された直列数及び／又は並列数で相互に接続された電池モジュール２１から構成される１つ以上の電池モジュールグループに分割される。具体的には、複数の電池モジュール２１は、計算部２５２により計算された直列数以下で直列接続された電池モジュール２１から構成される１つ以上の電池モジュールグループに分割される。或いは、複数の電池モジュール２１は、計算部２５２により計算された直列数以下でまず直列接続された後、続いて、計算部２５２により計算された並列数以下で並列接続された電池モジュール２１から構成される１つ以上の電池モジュールグループに分割される。経路切替部２５３は、分割された１つ以上の電池モジュールグループ夫々の充電経路が形成されるように、スイッチ２３及び接続切替回路２４を動作させる。
【００２６】
経路切替部２５３により各電池モジュールグループの充電経路が形成された後、各電池モジュールグループに接続された電力線コネクタ２２を介して充電装置３から供給された電力によって、複数の電池モジュール２１は夫々充電される。
【００２７】
このように、複数の電池モジュール２１と複数の電力線コネクタ２２との間の電流経路の耐電圧と、電力線コネクタ３２からの出力可能電圧とから電池モジュール２１の直列数が最初に決定される。また、蓄電装置２が備える電力線コネクタ２２の数と、充電装置３が備える電力線コネクタ３２の数とから、電池モジュール２１の並列数が続いて決定される。
【００２８】
例えば、計算された直列数以下で直列接続された電池モジュール２１で構成される電池モジュールグループの数が電力線コネクタ２２の数及び電力線コネクタ３２の数よりも少ない場合、各電池モジュールグループ内の電池モジュール２１の並列数は１に決定されてもよい。この場合、直列接続された電池モジュール２１で構成される各電池モジュールグループは、互いに異なる電力線コネクタ２２に接続され、該電力線コネクタ２２は、互いに異なる電力線コネクタ３２に接続される。この結果、各電池モジュールグループの充電経路には、電流経路の耐電圧と電力線コネクタ３２からの出力可能電圧との範囲内で可及的に高電圧を印加することができる。また、電池モジュール２１の並列数が電池モジュール２１の直列数よりも優先的に決定される場合と比較して、各電池モジュールグループの充電経路には、電流経路の耐電流と電力線コネクタ３２からの出力可能電流との範囲内で可及的に大電流を流すことができる。
【００２９】
したがって、第１の実施形態に従った蓄電装置によれば、充電経路の耐電流及び耐電圧の範囲内で蓄電装置に含まれる複数の二次電池を可及的に短時間で充電することができる。
【００３０】
第１の実施形態に従った充電システムが実行する充電経路の形成方法の一例を図２を参照しながら更に説明する。図２は、第１の実施形態に従った充電システムが実行する充電経路の形成方法の一例を示す図である。
【００３１】
ステップＳ１１において、取得部２５１は、個々の電力線コネクタ３２からの出力可能電圧と、充電装置３が備える電力線コネクタ３２の数とを制御部３３から取得する。
ステップＳ１２において、計算部２５２は、複数の電池モジュール２１と複数の電力線コネクタ２２との間の電流経路の耐電圧と、電力線コネクタ３２の出力可能電圧とから、電池モジュール２１の直列数を計算する。
【００３２】
例えば、計算部２５２は、電流経路への印加電圧と電池モジュール２１の直列数との対応関係を表すテーブルを予め保持してもよい。そして、計算部２５２は、電流経路の耐電圧と電力線コネクタ３２の出力可能電圧との内で、値が小さい電圧に対応する電池モジュール２１の直列数を、保持するテーブルから求めてもよい。或いは、計算部２５２は、電流経路の耐電圧と電力線コネクタ３２の出力可能電圧との内で、値が小さい電圧を取得してもよい。そして、計算部２５２は、取得した電圧の範囲内で、定格電圧等の所定の端子電圧で直列接続が可能な電池モジュール２１の最大数を計算してもよい。
【００３３】
ステップＳ１３において、計算部２５２は、電池モジュールグループの数と、各電池モジュールグループ内の電池モジュール２１の直並列数とを計算する。電池モジュールグループの数は、蓄電装置２に含まれる電池モジュール２１の数を、計算された電池モジュール２１の直列数で整数除算することで求められる。なお、整数除算において、端数（余り）は切り上げられる。また、各電池モジュールグループ内の電池モジュール２１の直列数は、ステップＳ１２で計算された電池モジュール２１の直列数と、ステップＳ１３での整数除算により得られた端数（余り）とから得られる。なお、ステップＳ１３での計算においては、各電池モジュールグループ内の電池モジュール２１の並列数は１とされる。
【００３４】
例えば、蓄電装置２に含まれる電池モジュール２１の数が８であり、ステップＳ１２で計算された電池モジュール２１の直列数が３である場合、電池モジュールグループの数は３と計算される。また、３つの電池モジュールグループの内、２つの電池モジュールグループ内の電池モジュール２１の直列数は夫々３であり、１つの電池モジュールグループ内の電池モジュール２１の直列数は２と計算される。
【００３５】
ステップＳ１４において、計算部２５２は、蓄電装置２が備える電力線コネクタ２２の数と、充電装置３が備える電力線コネクタ３２の数とから、電池モジュール２１の並列数を更に計算する。具体的には、計算部２５２は、電力線コネクタ２２の数及び電力線コネクタ３２の数の内で少ないコネクタ数を取得する。そして、計算部２５２は、計算された電池モジュールグループの数から、取得したコネクタ数を減算して得られた値に１を加算することで、電池モジュール２１の並列数を求める。なお、得られた値が０以下である場合は、並列数は１とされる。
【００３６】
例えば、蓄電装置２が備える電力線コネクタ２２の数が３であり、充電装置３が備える電力線コネクタ３２の数の数が３であり、ステップＳ１３で計算された電池モジュールグループの数が３である場合、電池モジュール２１の並列数は１と計算される（３−３＋１＝１）。また、例えば、電力線コネクタ２２の数が２であり、電力線コネクタ３２の数が３であり、電池モジュールグループの数が３である場合、電池モジュール２１の並列数は２と計算される（３−２＋１＝２）。
【００３７】
ステップＳ１５において、計算部２５２は、計算された電池モジュール２１の並列数が１であるか否かを判定する。
計算された電池モジュール２１の並列数が１である場合（ステップＳ１５で“ＹＥＳ”）、ステップＳ１７の処理に進む。
【００３８】
一方、計算された電池モジュール２１の並列数が２以上である場合（ステップＳ１５で“ＮＯ”）、計算部２５２は、電池モジュールグループの数と、各電池モジュールグループ内の電池モジュール２１の直並列数とを再計算する（ステップＳ１６）。具体的には、計算部２５２は、ステップＳ１３で計算された電池モジュールグループの数から、ステップＳ１４で計算された電池モジュール２１の並列数を減算した値に１を加算することで、電池モジュールグループの数を再計算する。また、減算により減らされる電池モジュールグループを、残される他の電池モジュールグループと並列接続する形式で、計算部２５２は、各電池モジュールグループ内の電池モジュール２１の直並列数を再計算する。
【００３９】
例えば、ステップＳ１３で計算された電池モジュールグループの数が３であり、ステップＳ１４で計算された電池モジュール２１の並列数が２である場合、電池モジュールグループの数は２と再計算される（３−２＋１＝２）。また、３つの電池モジュールグループについて直列数が夫々３、３、２である場合、１つの電池モジュールグループについて直列数が３で並列数が２であり、別の１つの電池モジュールグループについて直列数が２で並列数が１と再計算される。
【００４０】
ステップＳ１７において、計算部２５２は、電池モジュールグループの数と、各電池モジュールグループ内の電池モジュール２１の直並列数を経路切替部２５３に通知する。
ステップＳ１８において、経路切替部２５３は、計算部２５２からの通知に従ってスイッチ２３及び接続切替回路２４を動作させる。この結果、通知された電池モジュール２１の直並列数の電池モジュール２１から構成される各電池モジュールグループの充電経路が形成される。
【００４１】
このように、電池モジュール２１の直列数が最初に決定された各電池モジュールグループの充電経路には、電流経路の耐電圧と電力線コネクタ３２からの出力可能電圧との範囲内で可及的に高電圧を印加することができる。また、こうした電池モジュールグループの充電経路には、電池モジュール２１の並列数が電池モジュール２１の直列数よりも優先的に決定された各電池モジュールグループの充電経路と比較して、電流経路の耐電流と電力線コネクタ３２からの出力可能電流との範囲内で可及的に大電流を流すことができる。
【００４２】
したがって、第１の実施形態に従った蓄電装置によれば、充電経路の耐電流及び耐電圧の範囲内で蓄電装置に含まれる複数の二次電池を可及的に短時間で充電することができる。
【００４３】
＜第２の実施形態＞
図３は、第２の実施形態に従った充電システムの構成例を示す図である。図３において、図１に示した構成要素と同じ構成要素には、図１に付した参照符号と同じ参照符号が付されている。
【００４４】
図３に示す充電システム４において、蓄電装置５は、制御部２５（図１）の代わりに制御部５５を含み、充電装置６は、制御部３３（図１）の代わりに制御部６３を含む。制御部５５及び制御部６３は夫々、例えば、ＣＰＵ、マルチコアＣＰＵ、又はプログラマブルなディバイス（ＦＰＧＡやＰＬＤ等）である。充電システム４では、電池モジュールグループの数と、各電池モジュールグループ内の電池モジュール２１の直並列数とは、制御部６３により計算され、制御部５５に通知される。そして、制御部５５は、通知された情報に従って、各電池モジュールグループの充電経路を形成する。
【００４５】
制御部６３は、取得部６３１、計算部６３２、及び通知部６３３を含む。
取得部６３１は、蓄電装置５が備える電池モジュール２１の数と、複数の電池モジュール２１と複数の電力線コネクタ２２との間の電流経路の耐電圧とを制御部５５から取得する。また、取得部６３１は、蓄電装置５が備える電力線コネクタ２２の数を制御部５５から取得する。
【００４６】
計算部６３２は、計算部２５２（図１）について前述した計算動作と同様の動作を行う。すなわち、計算部６３２は、複数の電池モジュール２１と複数の電力線コネクタ２２との間の電流経路の耐電圧と、電力線コネクタ３２の出力可能電圧とから、電池モジュール２１の直列数を最初に計算する。また、計算部６３２は、蓄電装置５が備える電力線コネクタ２２の数と、充電装置６が備える電力線コネクタ３２の数とから、電池モジュール２１の並列数を続いて計算する。
【００４７】
蓄電装置５に含まれる複数の電池モジュール２１は、計算部６３２により計算された直列数及び／又は並列数で相互に接続された電池モジュール２１から構成される１つ以上の電池モジュールグループに分割される。通知部６３３は、分割された電池モジュールグループの数と、各電池モジュールグループ内の電池モジュール２１の直並列数を蓄電装置５に通知する。具体的には、通知部６３３は、計算部６３２により計算された直列数以下で直列接続された電池モジュール２１から構成される電池モジュールグループの数と、各電池モジュールグループ内の電池モジュール２１の直並列数とを蓄電装置５に通知する。或いは、通知部６３３は、計算部６３２により計算された直列数以下でまず直列接続された後、続いて、計算部６３２により計算された並列数以下で並列接続された電池モジュール２１から構成される電池モジュールグループの数と、各電池モジュールグループ内の電池モジュール２１の直並列数とを蓄電装置５に通知する。
【００４８】
制御部５５は、取得部５５１及び経路切替部２５３を含む。
取得部５５１は、電池モジュールグループの数と、各電池モジュールグループ内の電池モジュール２１の直並列数とを通知部６３３から取得する。経路切替部２５３は、取得部５５１が取得した１つ以上の電池モジュールグループ夫々の充電経路が形成されるように、スイッチ２３及び接続切替回路２４を動作させる。
【００４９】
経路切替部２５３により各電池モジュールグループの充電経路が形成された後、各電池モジュールグループに接続された電力線コネクタ２２を介して充電装置６から供給された電力によって、複数の電池モジュール２１は夫々充電される。
【００５０】
このように、充電システム４においても、複数の電池モジュール２１と複数の電力線コネクタ２２との間の電流経路の耐電圧と、電力線コネクタ３２からの出力可能電圧とから電池モジュール２１の直列数が最初に決定される。また、蓄電装置５が備える電力線コネクタ２２の数と、充電装置６が備える電力線コネクタ３２の数とから、電池モジュール２１の並列数が続いて決定される。
【００５１】
したがって、第２の実施形態に従った蓄電装置によっても、充電経路の耐電流及び耐電圧の範囲内で蓄電装置に含まれる複数の二次電池を可及的に短時間で充電することができる。
【００５２】
第２の実施形態に従った充電システムが実行する充電経路の形成方法の一例を図４を参照しながら更に説明する。図４は、第２の実施形態に従った充電システムが実行する充電経路の形成方法の一例を示す図である。図４において、図２に示した処理と同様の処理が行われるステップには、図２に付した参照符号と同じ参照符号が付されている。
【００５３】
ステップＳ２１において、取得部６３１は、蓄電装置５が備える電池モジュール２１の数と、蓄電装置５が備える電力線コネクタ３２の数と、複数の電池モジュール２１と複数の電力線コネクタ２２との間の電流経路の耐電圧とを制御部５５から取得する。
【００５４】
ステップＳ１２〜ステップＳ１６における計算部６３２による処理は、計算部２５２（図１）について前述した処理と同様であってよい。ステップＳ１７において、通知部６３３は、電池モジュールグループの数と、各電池モジュールグループ内の電池モジュール２１の直並列数とを取得部５５１に通知する。
【００５５】
ステップＳ１８において、経路切替部２５３は、取得部５５１が取得した情報に従ってスイッチ２３及び接続切替回路２４を動作させる。この結果、取得部５５１が取得した電池モジュール２１の直並列数の電池モジュール２１から構成される各電池モジュールグループの充電経路が形成される。
【００５６】
このように、第２の実施形態に従った蓄電装置によっても、充電経路の耐電流及び耐電圧の範囲内で蓄電装置に含まれる複数の二次電池を可及的に短時間で充電することができる。
【００５７】
本発明は、以上の実施の形態に限定されるものでなく、本発明の要旨を逸脱しない範囲内で種々の改良、変更が可能である。
【符号の説明】
【００５８】
１、４    充電システム
２、５    蓄電装置
２１    電池モジュール
２２    電力線コネクタ
２３    スイッチ
２４    接続切替回路
２５、５５制御部
２５１、５５１    取得部
２５２    計算部
２５３  経路切替部
２６    通信線コネクタ
３、６    充電装置
３１    電力変換回路
３２    電力線コネクタ
３３、６３    制御部
６３１    取得部
６３２    計算部
６３３    通知部
３４    通信線コネクタ
【図１】
2018033284.tif 000003
【図２】
2018033284.tif 000004
【図３】
2018033284.tif 000005
【図４】
2018033284.tif 000006